(57)【特許請求の範囲】
【請求項１】
トイレ装置の便器の後方に設置されるトイレ用キャビネットであって、
前記トイレ装置のタンクの側方に設置され、前記タンクに面する第１面と、前記第１面と反対側の第２面と、を有する側面板と、
前記タンクの前方に設置される前面板と、
前記側面板に対して回動可能に設けられ、前記側面板およびトイレ室の壁面によって形成される収納空間を隠蔽する扉と、
を備え、
前記扉の前記前面板側に設けられた第１端部の左右方向における位置は、前記第２面の左右方向における位置と、前記前面板の前記扉側に位置する第２端部の左右方向における位置と、の間にあり、
前記第１端部の左右方向における位置は、前記第１面の左右方向における位置と、前記第２端部の左右方向における位置と、の間にあるトイレ用キャビネット。
【請求項２】
前記側面板は、
前記第１面および前記第２面を有し、前後方向に延びる仕切り部と、
前記仕切り部の前端から前記前面板側に屈曲して設けられ、前記前面板と前記扉との隙間の後方に位置する屈曲部と、
前記屈曲部よりも前方に設けられ、前記前面板に固定される固定部と、
を有する請求項１記載のトイレ用キャビネット。
【請求項３】
前記屈曲部は、上下方向に延びている請求項２記載のトイレ用キャビネット。
【請求項４】
前記トイレ室の前記壁面は、前記収納空間に露出している請求項１〜３のいずれか１つに記載のトイレ用キャビネット。
【請求項５】
前記トイレ装置の前記便器の側端または前記トイレ装置の衛生洗浄装置の側端と、前記第２端部と、は、前後方向において揃っている請求項１〜４のいずれか１つに記載のトイレ用キャビネット。
【発明の詳細な説明】
【技術分野】
【０００１】
本発明の態様は、一般的に、トイレ用キャビネットに関する。
【背景技術】
【０００２】
トイレ室において、便器の後方にキャビネットが設置され、このキャビネットにトイレ装置のタンクが収納される場合がある。特許文献１では、さらに、タンクの側方に側面板が設けられ、側面板とトイレ室の壁面との間で物品を収納するための収納空間が形成されている。
【先行技術文献】
【特許文献】
【０００３】
【特許文献１】特開２００３−３２８４２１号公報
【発明の概要】
【発明が解決しようとする課題】
【０００４】
特許文献１に開示されたキャビネットでは、タンクと便器との間に前板が設置され、この前板の端部が、側面板の前端と連結されている。そして、収納空間を開閉するための扉の端部は、前板および側面板の側方に設けられている。
このようなキャビネットの場合、扉を開けた際に、扉の端部が収納空間の一部を覆い、収納空間の開口幅が狭まる。このため、収納空間への物品の出し入れのし難さや、収納できる物品の大きさの制限などの課題が生じる。
本発明は、かかる課題の認識に基づいてなされたものであり、扉を開けた際の収納空間の開口幅を広くし、使い勝手を向上させることが可能なトイレ用キャビネットを提供することを目的とする。
【課題を解決するための手段】
【０００５】
第１の発明は、トイレ装置の便器の後方に設置されるトイレ用キャビネットであって、前記トイレ装置のタンクの側方に設置され、前記タンクに面する第１面と、前記第１面と反対側の第２面と、を有する側面板と、前記タンクの前方に設置される前面板と、前記側面板に対して回動可能に設けられ、前記側面板およびトイレ室の壁面によって形成される収納空間を隠蔽する扉と、を備え、前記扉の前記前面板側に設けられた第１端部の左右方向における位置は、前記第２面の左右方向における位置と、前記前面板の前記扉側に位置する第２端部の左右方向における位置と、の間にあり、前記第１端部の左右方向における位置は、前記第１面の左右方向における位置と、前記第２端部の左右方向における位置と、の間にあるトイレ用キャビネットである。
【０００６】
このトイレ用キャビネットによれば、扉を開けたときの収納空間の開口幅を広くすることができ、トイレ用キャビネットの使い勝手を向上させることができる。
また、このトイレ用キャビネットによれば、扉を開けた際の収納空間の開口幅を広くしつつ、タンクが収納される空間の容積を大きくすることができる。
【０００９】
第２の発明は、第１の発明において、前記側面板は、前記第１面および前記第２面を有し、前後方向に延びる仕切り部と、前記仕切り部の前端から前記前面板側に屈曲して設けられ、前記前面板と前記扉との隙間の後方に位置する屈曲部と、前記屈曲部よりも前方に設けられ、前記前面板に固定される固定部と、を有するトイレ用キャビネットである。
【００１０】
このトイレ用キャビネットによれば、扉を開閉する際の側面板と扉との接触を回避し、扉の損傷を防ぐことができる。また、扉を開けた際に、前面板と扉との間の隙間を通して使用者からキャビネットの内部が見え難くなり、美観を向上させることができる。
【００１１】
第３の発明は、第２の発明において、前記屈曲部は、上下方向に延びているトイレ用キャビネットである。
【００１２】
このトイレ用キャビネットによれば、扉を開けた際に、前面板と扉との間の隙間からキャビネットの内部がより見え難くなり、より一層美観を向上させることができる。
【００１３】
第４の発明は、第１〜第３のいずれかの発明において、前記トイレ室の前記壁面は、前記収納空間に露出しているトイレ用キャビネットである。
【００１４】
このトイレ用キャビネットによれば、収納空間の開口幅および容積をより大きくすることができる。
【００１５】
第５の発明は、第１〜第４のいずれかの発明において、前記トイレ装置の前記便器の側端または前記トイレ装置の衛生洗浄装置の側端と、前記第２端部と、は、前後方向において揃っているトイレ用キャビネットである。
【００１６】
このトイレ用キャビネットによれば、キャビネットおよびトイレ装置を正面から見た際に、前面板と扉との隙間が便器または衛生洗浄装置の側端と重なって見え、キャビネットをよりすっきりして見せることができる。
【発明の効果】
【００１７】
本発明の態様によれば、使い勝手が向上されたトイレ用キャビネットが提供される。
【図面の簡単な説明】
【００１８】
【図１】実施形態に係るキャビネットを有するトイレユニットの斜視図である。
【図２】実施形態に係るキャビネットの上面図である。
【図３】実施形態に係るキャビネットおよびトイレ装置の斜視図である。
【図４】実施形態に係るキャビネットおよびトイレ装置の一部を拡大した上面図である。
【図５】実施形態に係るキャビネットおよびトイレ装置の一部を拡大した上面図である。
【図６】実施形態に係るキャビネットおよびトイレ装置の一部を拡大した上面図である。
【図７】実施形態に係るキャビネットおよびトイレ装置の一部を拡大した上面図である。
【図８】実施形態に係るキャビネットおよびトイレ装置の一部を拡大した上面図である。
【図９】実施形態の変形例に係るキャビネットを有するトイレユニットの斜視図である。
【図１０】実施形態の変形例に係るキャビネットを有するトイレユニットの側面図である。
【発明を実施するための形態】
【００１９】
以下、本発明の実施形態について図面を参照しつつ説明する。なお、各図面中、同様の構成要素には同一の符号を付して詳細な説明は適宜省略する。
【００２０】
図１は、実施形態に係るキャビネット１００を有するトイレユニット１の斜視図である。
図２は、実施形態に係るキャビネット１００の上面図である。
図３は、実施形態に係るキャビネット１００およびトイレ装置２００の斜視図である。
図４〜図８は、実施形態に係るキャビネット１００およびトイレ装置２００の一部を拡大した上面図である。
【００２１】
図２、図４〜図８では、キャビネット１００の内部構造を説明するために、キャビネット１００の一部の構成要素およびトイレ装置２００の一部の構成要素が省略されている。
【００２２】
トイレユニット１は、図１に表すように、キャビネット１００およびトイレ装置２００を備える。
なお、本願明細書においては、実施形態の説明のために、「上方」、「下方」、「前方」、「後方」、「左側方」、および「右側方」を用いる。これらの方向は、トイレ装置２００の便座に着座した使用者からみたものである。
【００２３】
キャビネット１００は、図１および図２に表すように、左側面板１１０、右側面板１２０、前面板１３０、左扉１４０、右扉１５０、横桟１６０、バー１６２、バー１６４、および天板１６６を有する。
【００２４】
トイレ装置２００は、図１および図２に表すように、便器２１０、衛生洗浄装置２２０、およびタンク２３０を有する。キャビネット１００は、トイレ装置２００の便器２１０および衛生洗浄装置２２０の後方に設置されている。
【００２５】
左側面板１１０および右側面板１２０は、キャビネット１００の内部に、左右に離間して設置されている。前面板１３０は、キャビネット１００前面の中央部分に設置され、便器２１０および衛生洗浄装置２２０と、タンク２３０と、の間に位置している。前面板１３０は、左側面板１１０および右側面板１２０の前端と固定されている。
【００２６】
左側面板１１０、右側面板１２０、および前面板１３０によって、収納空間ＳＳ１が形成されている。この収納空間ＳＳ１には、トイレ装置２００のタンク２３０が収納されている。
【００２７】
収納空間ＳＳ１の左側方には、左側面板１１０と、トイレ室の壁面ＳＷ１およびＳＷ２と、によって収納空間ＳＳ２が形成されている。また、収納空間ＳＳ１の右側方には、右側面板１２０と、トイレ室の壁面ＳＷ１およびＳＷ３と、によって収納空間ＳＳ３が形成されている。
【００２８】
前面板１３０の左側方には、左扉１４０が設けられている。左扉１４０は、収納空間ＳＳ２を隠蔽するように設けられている。左扉１４０は、例えば、扉１４１と扉１４２の２枚の扉を、左右にずらして前後に重ねることで構成されている。
【００２９】
同様に、前面板１３０の右側方には、右扉１５０が設けられている。右扉１５０は、収納空間ＳＳ３を隠蔽するように設けられている。右扉１５０は、例えば、扉１５１と扉１５２の２枚の扉を、左右にずらして前後に重ねることで構成されている。
【００３０】
図３に表すように、左扉１４０は、支持材１４３によって、左側面板１１０に取り付けられ、回動可能に構成されている。これと同様に、右扉１５０は、支持材１５３（図２参照）によって、右側面板１２０に取り付けられ、回動可能に構成されている。
【００３１】
壁面ＳＷ２およびＳＷ３には、例えば、不図示のプッシュラッチまたはマグネットラッチ等が取り付けられている。左扉１４０および右扉１５０を閉めた際には、例えば、前面板１３０、扉１４１、および扉１５１のそれぞれの前面が左右方向に揃うように、左扉１４０および右扉１５０が固定される。
【００３２】
横桟１６０は、キャビネット１００上部の背面側において、壁面ＳＷ１に沿って設けられている。バー１６２およびバー１６４は、キャビネット１００上部の左側端および右側端に設けられ、前後方向に延びている。天板１６６は、これら横桟１６０、バー１６２、およびバー１６４の上に載置されている。
【００３３】
トイレ装置２００については、従来と同様の構成を採用可能であるため、以下では概略構成のみを説明する。
【００３４】
衛生洗浄装置２２０は、便器２１０の上に設置されている。衛生洗浄装置２２０は、使用者が着座するための便座や、使用者の局部を洗浄するためのノズル、使用者を検知するための各種センサ等を備える。
【００３５】
タンク２３０は、便器２１０の内側を洗浄するための洗浄水を溜める溜水部２３１、溜めた洗浄水を便器２１０の内側に流すためのオーバーフロー管２３２、便器２１０の洗浄時にオーバーフロー管２３２を駆動させるための駆動部２３３、溜水部２３１に水を供給するための給水配管２３４、溜水部２３１内の水位に応じて溜水部２３１への水の供給を調節するためのフロート部２３５などを備える。
【００３６】
駆動部２３３によってオーバーフロー管２３２が駆動されると、オーバーフロー管２３２の下方に形成された排水口から溜水部２３１の水が流れ出し、タンク２３０と接続された便器２１０の導水路に水が流れ、便器２１０の内側が洗浄される。
【００３７】
次に、図４および図５を参照しつつ、左側面板１１０および左扉１４０について、より具体的に説明する。なお、図４では、左扉１４０を閉めたときの状態を表し、図５では、左扉１４０を開けたときの状態を表している。
【００３８】
左側面板１１０は、略同じ厚みで形成された、仕切り部１１１、屈曲部１１２、固定部１１３、および連結部１１４を有する。
【００３９】
仕切り部１１１は、前後方向に延び、収納空間ＳＳ１と収納空間ＳＳ２とを仕切っている。仕切り部１１１は、タンク２３０（収納空間ＳＳ１）に面した第１面１１１ａと、第１面１１１ａの反対側に設けられ、収納空間ＳＳ２に面する第２面１１１ｂと、を有する。
【００４０】
屈曲部１１２は、仕切り部１１１の前端から前面板１３０側に屈曲して設けられている。また、屈曲部１１２は、前面板１３０と左扉１４０との隙間の後方に位置しており、当該隙間の少なくとも一部を後方から覆っている。
【００４１】
固定部１１３は、屈曲部１１２よりも前方に設けられている。すなわち、固定部１１３の前後方向における位置は、屈曲部１１２の前後方向における位置よりも前方にある。また、固定部１１３は、前面板１３０の裏面に接して設けられ、前面板１３０に固定されている。
【００４２】
連結部１１４は、屈曲部１１２の一端と、固定部１１３の一端と、を連結している。屈曲部１１２と固定部１１３とは、図４および図５に表すように、左右にずれて前後方向において並んでいなくても良いし、少なくとも一部同士が前後方向において並ぶように設けられていてもよい。連結部１１４の形状や長さなどは、屈曲部１１２と固定部１１３との配置関係や、これらの形状に応じて適宜変更することが可能である。
【００４３】
支持材１４３は、アウトセット用のスライド丁番（以下、アウトセット丁番という）である。図４および図５に表すように、左扉１４０を閉めた状態および開けた状態において、左扉１４０の前面板１３０側の端部（左扉１４０の右側方端部）Ｅ１は、前面板１３０の左扉１４０側端部（前面板１３０の左側方端部）Ｅ２と、左右方向において対向している。また、端部Ｅ１の左右方向における位置は、第２面１１１ｂの左右方向における位置と、Ｅ２の左右方向における位置と、の間にある。
【００４４】
前面板１３０の端部Ｅ２は、図４の破線ＢＬ１で示すように、トイレ装置２００の左側方端部（より具体的には衛生洗浄装置２２０の左側方端部）と前後方向において揃っている。すなわち、端部Ｅ２の左右方向における位置は、衛生洗浄装置２２０の左側方端部の左右方向における位置と同じである。このとき、左扉１４０が開いた際にトイレ装置２００との接触を避けるため、図５に表すように、左扉１４０の回転角度が８５度程度で止まるよう、支持材１４３が構成されていることが望ましい。
なお、上述した例に限らず、便器２１０の左側方端部と端部Ｅ２とが前後方向において揃っていてもよい。または、便器２１０および衛生洗浄装置２２０の両方の左側方端部と、端部Ｅ２と、が前後方向において揃っていてもよい。
【００４５】
次に、図６および図７を参照しつつ、右側面板１２０および右扉１５０について説明する。右側面板１２０および右扉１５０については、上述した左側面板１１０および左扉１４０と同様の構成を採用することが可能である。一例として、右側面板１２０および右扉１５０は、左側面板１１０および左扉１４０と左右対称の構造を有する。
【００４６】
すなわち、右側面板１２０は、前後方向に延び、収納空間ＳＳ１と収納空間ＳＳ３とを仕切る仕切り部１２１と、仕切り部１２１の前端から前面板１３０側に屈曲した屈曲部１２２と、前面板１３０に固定された固定部１２３と、屈曲部１２２および固定部１２３を連結する連結部１２４と、を有する。仕切り部１２１は、タンク２３０に面する第３面１２１ｃと、第３面１２１ｃと反対側の第４面１２１ｄと、を有する。
【００４７】
右扉１５０の前面板１３０側の端部（右扉１５０の左側方端部）Ｅ３は、右扉１５０を閉めた状態および開けた状態において、前面板１３０の右扉１５０側端部（前面板１３０の右側方端部）Ｅ４と、左右方向において対向している。また、端部Ｅ３の左右方向における位置は、第４面１２１ｄの左右方向における位置と、端部Ｅ４の左右方向における位置と、の間にある。端部Ｅ３は、図６の破線ＢＬ２で示すように、トイレ装置２００の右側方端部（衛生洗浄装置２２０の右側方端部）と前後方向において揃っている。
【００４８】
左側面板１１０および右側面板１２０は、複数の部材を組み合わせることで構成されていてもよい。例えば、仕切り部１１１、屈曲部１１２、固定部１１３、および連結部１１４のそれぞれに対応する部材を組み合わせることで、左側面板１１０を構成してもよい。
【００４９】
前面板１３０、左扉１４０、および右扉１５０は、例えば木材から構成される。左側面板１１０および右側面板１２０も木材で構成することが可能であるが、板金で構成されていることが望ましい。左側面板１１０および右側面板１２０に板金を用いた場合、板金を折り曲げることで、それぞれの側面板の仕切り部、屈曲部、固定部、および連結部に対応する部分を形成することができ、製造が容易となるためである。
【００５０】
ここで、本実施形態による作用および効果について説明する。
本実施形態に係るトイレ用のキャビネット１００では、上述した通り、収納空間ＳＳ２を隠蔽する左扉１４０が、左側面板１１０に回動可能に設けられ、左扉１４０の前面板１３０側に設けられた端部Ｅ１の左右方向における位置が、左側面板１１０の第２面１１１ｂの左右方向における位置と、前面板１３０の端部Ｅ２の左右方向における位置と、の間にある。
【００５１】
このような構成を採用することで、端部Ｅ１の左右方向における位置が、第２面１１１ｂの左右方向における位置よりも左側方にある場合に比べて、左扉１４０を開けたときに、扉１４１の厚み分、収納空間ＳＳ２の開口幅を広くすることができる。
【００５２】
収納空間ＳＳ２の開口幅が広くなることで、収納空間ＳＳ２への物品の出し入れが容易となり、また、より大きな物品を収納空間ＳＳ２へ収納可能となる。従って、本実施形態によれば、トイレ用のキャビネットの使い勝手を向上させることが可能である。
【００５３】
なお、左扉１４０を開けた際の、左側面板１１０に対する左扉１４０の被せ寸法は、適宜変更可能である。ただし、左扉１４０を開けた際の収納空間ＳＳ２の開口幅をより広くし、キャビネット１００の使い勝手をさらに向上させるためには、被せ寸法が大きいことが望ましい。
【００５４】
第１面１１１ａは、端部Ｅ１および端部Ｅ２よりも左側方に位置することが望ましい。すなわち、端部Ｅ１の左右方向における位置は、第１面１１１ａの左右方向における位置と、端部Ｅ２の左右方向における位置と、の間にあることが望ましい。
こうすることで、左扉１４０を開けた際の収納空間ＳＳ２の開口幅を広くしつつ、収納空間ＳＳ１の容積を大きくでき、タンク２３０が収納し易くなる。
【００５５】
このとき、端部Ｅ２を、トイレ装置２００の左側方端部と前後方向に揃うように設けることで、キャビネット１００およびトイレ装置２００を正面から見た際に、前面板１３０と左扉１４０との隙間がトイレ装置２００の側端と並んで見え、キャビネット１００がよりすっきりして見えるようになる。
【００５６】
左側面板１１０に対する左扉１４０の被せ寸法を大きくした場合、左扉１４０を開閉する際に、左扉１４０の角が左側面板１１０に接触する可能性がある。このため、左側面板１１０は、図４および図５に表すように、仕切り部１１１、屈曲部１１２、および固定部１１３を有することが望ましい。
屈曲部１１２は、仕切り部１１１と固定部１１３との間において、固定部１１３よりも後方に位置し、仕切り部１１１の前端から前面板１３０に向けて屈曲している。この屈曲部１１２が、左扉１４０の端部Ｅ１の後方に設けられることで、左扉１４０を開閉する際に、左側面板１１０と左扉１４０との接触を回避し、左扉１４０の損傷を防ぐことができる。
【００５７】
また、屈曲部１１２が、前面板１３０と左扉１４０との隙間の後方に位置し、隙間の少なくとも一部を後方から覆うことで、左扉１４０を開けた際に、隙間を通して使用者からキャビネット１００内部（収納空間ＳＳ１）が見え難くなり、キャビネット１００の美観を向上させることができる。
【００５８】
屈曲部１１２は、仕切り部１１１の前端に部分的に連設されていてもよいが、上下方向に延びていることが望ましい。屈曲部１１２が上下方向に連続して延びていることで、前面板１３０と左扉１４０との隙間から収納空間ＳＳ１がより見え難くなり、キャビネット１００の美観をより一層向上させることができる。
一例として、図３に表すように、屈曲部１１２の下端は、仕切り部１１１の下端と略同じ高さにある。屈曲部１１２の上端は、便器２１０よりも上方に位置し、衛生洗浄装置２２０の上端と略同じ高さにある。そして、屈曲部１１２は、これら上端と下端との間で上下方向に延在している。
または、屈曲部１１２は、仕切り部１１１の上端と下端との間で連続的に上下方向に延在していてもよい。
【００５９】
また、収納空間ＳＳ２の開口幅および容積をより大きくするためには、収納空間ＳＳ２を形成しているトイレ室の壁面ＳＷ１および壁面ＳＷ２に木材等が取り付けられておらず、これらの壁面が収納空間ＳＳ２に直接露出していることが望ましい。
【００６０】
以上では、収納空間ＳＳ２の周りの構成とその効果について説明したが、収納空間ＳＳ３の周りの構成とその効果についても同様である。
【００６１】
すなわち、右扉１５０が、右側面板１２０に回動可能に設けられ、右扉１５０の前面板１３０側に設けられた端部Ｅ３の左右方向における位置が、右側面板１２０の第４面１２１ｄの左右方向における位置と、前面板１３０の端部Ｅ４の左右方向における位置と、の間にあることで、収納空間ＳＳ３の開口幅を広くし、トイレ用のキャビネットの使い勝手を向上させることができる。
【００６２】
端部Ｅ３の左右方向における位置が、第３面１２１ｃの左右方向における位置と、端部Ｅ４の左右方向における位置と、の間にあることで、収納空間ＳＳ１の容積を大きくでき、タンク２３０が収納し易くなる。
端部Ｅ４を、便器２１０または衛生洗浄装置２２０の右側方端部と前後方向に揃うように設けることで、キャビネット１００をよりすっきりして見せることができる。
【００６３】
また、屈曲部１２２が、右扉１５０の端部Ｅ３の後方に設けられることで、右扉１５０を開閉させた際の、右扉１５０の損傷を防ぐことができる。
屈曲部１２２が、前面板１３０と右扉１５０との隙間の後方に位置し、隙間の少なくとも一部を後方から覆うことで、キャビネット１００の美観を向上させることができる。このとき、屈曲部１２２は上下方向に延在していることが望ましい。
【００６４】
また、収納空間ＳＳ３の開口幅および容積をより大きくするためには、収納空間ＳＳ３を形成しているトイレ室の壁面ＳＷ１および壁面ＳＷ３が収納空間ＳＳ３に直接露出していることが望ましい。
【００６５】
ここで、上述した左側面板１１０および右側面板１２０について、それぞれの連結部１１４および連結部１２４を省略することも可能である。このような構造を採用した場合の左側面板１１０の様子を図８（ａ）に表し、右側面板１２０の様子を図８（ｂ）に表す。
【００６６】
図８（ａ）に表す例では、屈曲部１１２が、仕切り部１１１の前端から、前面板１３０に向けて斜め前方に屈曲して設けられている。そして、屈曲部１１２の前端が固定部１１３と連結されている。
同様に、図８（ｂ）に表す例では、屈曲部１２２が、仕切り部１２１の前端から、前面板１３０に向けて斜め前方に屈曲して設けられ、屈曲部１２２の前端が固定部１２３と連結されている。
【００６７】
図８（ａ）および図８（ｂ）に表す構造においても、屈曲部１１２が固定部１１３よりも後方に位置し、屈曲部１２２が固定部１２３よりも後方に位置しているため、各扉を開閉する際の各側面板との接触を回避し、扉の損傷を防ぐことが可能である。
【００６８】
ただし、図４〜図７に表されるように、屈曲部と固定部が平行に設けられ、仕切り部、屈曲部、連結部、および固定部のそれぞれの間の角度が直角であるほうが、仕切り部と屈曲部との間の角度および屈曲部と固定部との間の角度の細かな調整が不要となり、左側面板１１０および右側面板１２０の製造および組み立てが容易となる。
【００６９】
以上では、収納空間ＳＳ１の左側方および右側方の両側に収納空間が形成されている場合について説明したが、いずれか一方の側にのみ収納空間が形成されている場合にも、本実施形態に係る発明を適用することが可能である。
収納空間ＳＳ２およびＳＳ３の一方のみが設けられている場合であっても、当該収納空間の周りに上述した構造を採用することで、扉を開けた際の収納空間の開口幅を広げ、キャビネットの使い勝手を向上させることができる。
【００７０】
（変形例）
図９は、実施形態の変形例に係るキャビネット１００ａを有するトイレユニット２の斜視図である。
図１０は、実施形態の変形例に係るキャビネット１００ａを有するトイレユニット２の側面図である。
なお、図１０では、収納部３２０の内部を表すために、収納部３２０の前面板が省略されている。
【００７１】
トイレユニット２は、キャビネット１００ａ、トイレ装置２００、および手洗いユニット３００を有する。
手洗いユニット３００は、第１カウンター３１０、第２カウンター３１２、紙巻器３１４、手洗い器３１６、ボウル部３１８、収納部３２０、給水管３２２、排水管３２４、およびカバー３２６を有する。
【００７２】
キャビネット１００ａは、右扉１５０の前面に第２カウンター３１２が当接して設けられており、右扉１５０が開閉しない点で、キャビネット１００と異なる。
右扉１５０の裏側には、例えば、キャビネット１００と同様に、右側面板１２０、壁面ＳＷ１、および壁面ＳＷ３から形成される収納空間ＳＳ３が形成されている。
【００７３】
第１カウンター３１０および第２カウンター３１２は、トイレ装置２００の側方に位置し、トイレ室の壁面ＳＷ３に沿って設けられている。第１カウンター３１０は、キャビネット１００ａの天板１６６と略同じ高さに設けられている。第２カウンター３１２は、第１カウンター３１０の下方に位置し、右扉１５０と収納部３２０との間に設けられている。紙巻器３１４は、第１カウンター３１０の下面に設けられ、第２カウンター３１２の上方に位置している。
【００７４】
手洗い器３１６およびボウル部３１８は、第１カウンター３１０前部の上に設けられている。収納部３２０は、第１カウンター３１０前部の下に設けられ、手洗い器３１６およびボウル部３１８の下方に位置している。
【００７５】
収納部３２０の内部には、手洗い器３１６に接続された給水管３２２と、ボウル部３１８の排水口に接続された排水管３２４と、が設けられている。これら給水管３２２および排水管３２４は、第２カウンター３１２の下に設けられたカバー３２６の内側を通ってキャビネット１００ａ内部に引き出され、それぞれ、トイレ装置２００に接続された給水管および排水管に連結されている。
【００７６】
図９および図１０に表したように、実施形態に係るトイレ用のキャビネットは、トイレユニットの他の要素と適宜組み合わせて用いることが可能である。
【００７７】
また、図９および図１０に表す手洗いユニット３００では、給水管３２２および排水管３２４が、使用者から見えないように、カバー３２６によって覆われている。そして、このカバー３２６は、上方から第２カウンター３１２によって覆われている。すなわち、給水管３２２および排水管３２４に加え、これらの配管を覆うカバー３２６も、第２カウンター３１２によって使用者から見えにくいように構成されている。このため、第１カウンター３１０の下の壁面がすっきりして見えるようになる。また、第２カウンター３１２の上に物を載置することが可能となり、トイレユニットの使い勝手を向上させることもできる。
【００７８】
なお、第１カウンター３１０の下にカバー３２６を設けることも可能であるが、この場合、カバー３２６の一部が紙巻器３１４の後ろに設けられることで、紙巻器３１４が前方に突出する。紙巻器３１４が前方に突出していると、例えば、使用者が手洗い器３１６を使用する際に、紙巻器３１４に引っ掛かりやすくなるなど、トイレユニットの使い勝手が悪くなってしまう。また、カバー３２６の位置が高くなることで、便器２１０の上に着座した使用者からカバー３２６が目に付きやすくなり、トイレユニットの美観も低下してしまう。従ってこれらの観点から、カバー３２６は、第２カウンター３１２の下に設けられていることが望ましい。
【００７９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネット１００および１００ａやトイレ装置２００、手洗いユニット３００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８０】
１、２ トイレユニット、  １００、１００ａ キャビネット、  １１０ 左側面板、  １１１ 仕切り部、  １１１ａ 第１面、  １１１ｂ 第２面、  １１２ 屈曲部、  １１３ 固定部、  １１４ 連結部、  １２０ 右側面板、  １２１ 仕切り部、  １２１ｃ 第３面、  １２１ｄ 第４面、  １２２ 屈曲部、  １２３ 固定部、  １２４ 連結部、  １３０ 前面板、  １４０ 左扉、  １４１ 扉、  １４２ 扉、  １４３ 支持材、  １５０ 右扉、  １５１ 扉、  １５２ 扉、  １５３ 支持材、  １６０ 横桟、  １６２ バー、  １６４ バー、  １６６ 天板、  ２００ トイレ装置、  ２１０ 便器、  ２２０ 衛生洗浄装置、  ２３０ タンク、  ２３１ 溜水部、  ２３２ オーバーフロー管、  ２３３ 駆動部、  ２３４ 給水配管、  ２３５ フロート部、  ３００ 手洗いユニット、  ３１０ 第１カウンター、  ３１２ 第２カウンター、  ３１４ 紙巻器、  ３１６ 手洗い器、  ３１８ ボウル部、  ３２０ 収納部、  ３２２ 給水管、  ３２４ 排水管、  ３２６ カバー、  Ｅ１〜Ｅ４ 端部、  ＳＳ１〜ＳＳ３ 収納空間、  ＳＷ１〜ＳＷ３ 壁面
【図１】
0006761593.tif 000002
【図２】
0006761593.tif 000003
【図３】
0006761593.tif 000004
【図４】
0006761593.tif 000005
【図５】
0006761593.tif 000006
【図６】
0006761593.tif 000007
【図７】
0006761593.tif 000008
【図８】
0006761593.tif 000009
【図９】
0006761593.tif 000010
【図１０】
0006761593.tif 000011